(57)【要約】【課題】遊技盤に対する姿勢が崩れにくい遊技釘、その固定方法及びこの遊技釘を利用した弾球遊技機の提供。【解決手段】遊技釘３０に備えられている棒状部３１の中間部分に、当該棒状部３１よりも拡径された鍔状部３５を設け、遊技釘３０を遊技盤２０に固定するにあたり、鍔状部３５を遊技盤２０の表面２０Ａに密着させる。これにより、遊技盤２０に固定した遊技釘３０が、その姿勢を崩す際に、棒状部３１の遊技盤２０に埋没した部分だけでなく、その鍔状部３５も遊技盤２０を塑性変形させるようにする。すると、遊技釘３０の姿勢を崩すために塑性変形させなければならない遊技盤２０の体積が増えるので、遊技釘３０に加わる衝撃で遊技盤２０が塑性変形しにくくなり、遊技釘３０の姿勢も崩れにくくなる。【選択図】    図２
2006110257.tif 000002
【特許請求の範囲】
【請求項１】
弾球遊技機の遊技盤に一端側の部分が固定され、他端側の部分が前記遊技盤から突出して遊技球の流路を形成する遊技釘であって、
細長い棒状に形成されて当該遊技釘の本体となる棒状部と、
この棒状部の一端側の表面に螺旋状に形成された突条を有するタッピングネジ部と、
当該遊技釘を回転操作する回転操作用工具と係合可能な係合部が設けられ、且つ、前記棒状部の他端に形成されるとともに前記棒状部よりも拡径された頭部と、
当該遊技釘を回転操作する回転操作用工具と係合可能な平面形状を有し、且つ、前記棒状部の中間部分に形成されるとともに前記棒状部よりも拡径された鍔状部とを備えていることを特徴とする遊技釘。
【請求項２】
前記頭部には、当該遊技釘を回転操作する回転操作用工具と係合可能な溝が前記係合部として設けられていることを特徴とする請求項１記載の遊技釘。
【請求項３】
前記鍔状部は、その平面形状が六角形とされた六角柱状に形成されていることを特徴とする請求項１又は２記載の遊技釘。
【請求項４】
前記鍔状部は、前記遊技盤に一端側が固定された当該遊技釘の前記棒状部と前記遊技盤の表面との両方に接触させた状態の遊技球が、その表面に接触しない程度に小さく形成されていることを特徴とする請求項３記載の遊技釘。
【請求項５】
前記遊技盤の少なくとも下地が合成樹脂製とされ、前記遊技盤の合成樹脂製の部分に螺合することを特徴とする請求項１から請求項４までのいずれかに記載の遊技釘。
【請求項６】
弾球遊技機の遊技盤に遊技球の流路を形成するための遊技釘を前記遊技盤に固定する遊技釘の固定方法であって、
前記遊技釘は、細長い棒状に形成されて当該遊技釘の本体となる棒状部と、
この棒状部の一端側の表面に螺旋状に形成された突条を有するタッピングネジ部と、
当該遊技釘を回転操作する回転操作用工具と係合可能な係合部が設けられ、且つ、前記棒状部の他端に形成されるとともに前記棒状部よりも拡径された頭部と、
当該遊技釘を回転操作する回転操作用工具と係合可能な平面形状を有し、且つ、前記棒状部の中間部分に形成されるとともに前記棒状部よりも拡径された鍔状部とを備えたものとされ、
前記遊技盤に前記タッピングネジ部の螺合を開始した後、前記鍔状部を前記遊技盤の表面に密着させることを特徴とする遊技釘の固定方法。
【請求項７】
前記遊技盤の表面及び前記鍔状部の間にスプリングワッシャーを介装し、このスプリングワッシャーで、前記遊技盤の表面に前記鍔状部を回転不可能に固定することを特徴とする請求項６に記載の遊技釘の固定方法。
【請求項８】
前記遊技盤の表面及び前記鍔状部の間に歯付座金を介装し、この歯付座金で、前記遊技盤の表面に前記鍔状部を回転不可能に固定することを特徴とする請求項６に記載の遊技釘の固定方法。
【請求項９】
前記鍔状部の前記遊技盤と対向する面に逆転防止用突起が設けられ、この逆転防止用突起で、前記遊技盤の表面に前記鍔状部を回転不可能に固定することを特徴とする請求項６に記載の遊技釘の固定方法。
【請求項１０】
遊技釘の一端側部分を遊技盤に固定し、遊技釘の他端側部分を前記遊技盤の表面から突出させることにより、前記遊技盤に遊技球の流路が形成された弾球遊技機であって、
前記遊技釘には、細長い棒状に形成されて当該遊技釘の本体となる棒状部と、
この棒状部の一端側の表面に螺旋状に形成された突条を有するタッピングネジ部と、
当該遊技釘を回転操作する回転操作用工具と係合可能な係合部が設けられ、且つ、前記棒状部の他端に形成されるとともに前記棒状部よりも拡径された頭部と、
当該遊技釘を回転操作する回転操作用工具と係合可能な平面形状を有し、且つ、前記棒状部の中間部分に形成されるとともに前記棒状部よりも拡径された鍔状部とが設けられていることを特徴とする弾球遊技機。
【発明の詳細な説明】
【技術分野】
【０００１】
本発明は、パチンコ機等の弾球遊技機に遊技球の流通する流路を形成するための遊技釘、その固定方法及びこの遊技釘を利用した弾球遊技機に関するものである。
【背景技術】
【０００２】
従来から、入賞口を狙って遊技球を発射し、入賞口に遊技球が入ると、遊技球の払い出しが受けられる遊技を行うパチンコ機等の弾球遊技機が利用されている。このような弾球遊技機の遊技盤の表面には、所定寸法だけ突出するように、多数の遊技釘が打ち込まれ、これら遊技釘により遊技球が流通する流路が形成されている。
そして、流路を形成する遊技釘には、遊技球が勢いよく衝突するので、この遊技球の衝突による衝撃で、遊技釘が遊技盤から抜け落ちたり、所定の姿勢を崩したりしないように、遊技釘の根本部分を遊技盤に強固に固定する必要がある。
【０００３】
このため、遊技釘としては、遊技盤への固定強度の向上を図るために、遊技盤に埋没してしまう部分にらせん状の稜部が形成され、その部分が遊技盤に螺合されるもの（特許文献１参照）や、遊技盤に埋没してしまう部分に接着剤が仕込まれ、遊技盤に打ち込むと、その部分が遊技盤に接着されるもの（特許文献２参照）等が提案されている。
【特許文献１】特開２０００−８４１６２号公報（図２）
【特許文献２】特開２００４−１４７８６５号公報（図２）
【発明の開示】
【発明が解決しようとする課題】
【０００４】
しかしながら、遊戯中に遊技釘に加わる衝撃は、当該遊技球を介して遊技盤側にも伝達され、この衝撃により遊技盤側が徐々に変形してしまうと、遊技釘の遊技盤への固定強度を向上しても、遊技盤に対する遊技釘の姿勢が徐々に崩れてしまうという問題がある。
特に、リサイクルのために合成樹脂製の遊技盤を採用しようとすると、合成樹脂製の遊技盤は、木製のものよりも塑性変形しやすいので、遊技盤側の変形により遊技釘の姿勢がさらに崩れやすいという問題がある。
本発明は、以上のような課題に鑑みてなされたものであり、その目的とするところは、遊技盤に対する姿勢が崩れにくい遊技釘、その固定方法及びこの遊技釘を利用した弾球遊技機を提供することを目的とする。
【課題を解決するための手段】
【０００５】
以下に説明する各発明は、上記した目的を達成するためになされたものであり、図面に示した発明の実施の形態を用いて、以下に説明する。
なお、以下の各構成要件には、説明の便宜上、実施の形態において用いた符号を付すが、これにより、本発明の技術的範囲を限定するものではない。
請求項１記載の発明は、次の点を特徴とする。
すなわち、請求項１記載の発明は、弾球遊技機(ＰＭ)の遊技盤(２０)に一端側の部分が固定され、他端側の部分が前記遊技盤(２０)から突出して遊技球(ＢＬ)の流路を形成する遊技釘(３０)であって、細長い棒状に形成されて当該遊技釘(３０)の本体となる棒状部(３１)と、この棒状部(３１)の一端側の表面に螺旋状に形成された突条を有するタッピングネジ部(３２)と、当該遊技釘(３０)を回転操作する回転操作用工具と係合可能な係合部(３３)が設けられ、且つ、前記棒状部(３１)の他端に形成されるとともに前記棒状部(３１)よりも拡径された頭部(３４)と、当該遊技釘(３０)を回転操作する回転操作用工具と係合可能な平面形状を有し、且つ、前記棒状部(３１)の中間部分に形成されるとともに前記棒状部(３１)よりも拡径された鍔状部(３５)とを備えていることを特徴とする。
【０００６】
なお、棒状部の他端に形成される頭部としては、当該遊技釘を回転操作するスクリュードライバやスパナ等の回転操作用工具が係合可能な係合部を備えたものを採用するのが好ましい。ここで、係合部としては、例えば、スクリュードライバと係合可能なマイナス溝又はプラス溝を有するもの、六角レンチと係合可能な六角穴を有するもの、あるいは、スパナの顎に係合可能な六角柱状又は楕円柱状に形成されたものが採用できる。
また、鍔状部としては、メガネレンチに係合可能な六角柱状又は楕円柱状に形成されたものが採用できる。
請求項２記載の発明は、前述した請求項１記載の発明において、次の特徴点を備えているものである。
【０００７】
すなわち、請求項２記載の発明は、前記頭部に、当該遊技釘を回転操作する回転操作用工具と係合可能な溝(３３)が前記係合部として設けられていることを特徴とする。
ここで、回転操作用工具と係合可能な溝としては、前述したように、スクリュードライバと係合可能なマイナス溝又はプラス溝を採用するのが好ましい。
請求項３記載の発明は、前述した請求項１又は２記載の発明において、次の特徴点を備えているものである。
すなわち、請求項３記載の発明は、前記鍔状部(３５)として、その平面形状が六角形とされた六角柱状に形成されているものを採用したことを特徴とする。
【０００８】
請求項４記載の発明は、前述した請求項３記載の発明において、次の特徴点を備えているものである。
すなわち、請求項４記載の発明は、前記鍔状部(３５)として、前記遊技盤(２０)に一端側が固定された当該遊技釘(３０)の前記棒状部(３１)と前記遊技盤(２０)の表面との両方に接触させた状態の遊技球(ＢＬ)が、その表面に接触しない程度に小さく形成されていることを特徴とする。
請求項５記載の発明は、前述した請求項１から請求項４までのいずれかに記載の発明において、次の特徴点を備えているものである。
【０００９】
すなわち、請求項５記載の発明は、前記遊技盤(２０)の少なくとも下地が合成樹脂製とされ、前記遊技盤の合成樹脂製の部分に螺合することを特徴とする。
請求項６記載の発明は、前述した請求項１記載の遊技釘の固定方法であって、次の特徴点を備えているものである。
すなわち、請求項６記載の発明は、弾球遊技機(ＰＭ)の遊技盤(２０)に遊技球(ＢＬ)の流路を形成するための遊技釘(３０)を前記遊技盤(２０)に固定する遊技釘(３０)の固定方法であって、前記遊技釘(３０)は、細長い棒状に形成されて当該遊技釘(３０)の本体となる棒状部(３１)と、この棒状部(３１)の一端側の表面に螺旋状に形成された突条を有するタッピングネジ部(３２)と、当該遊技釘(３１)を回転操作する回転操作用工具と係合可能な係合部(３３)が設けられ、且つ、前記棒状部(３１)の他端に形成されるとともに前記棒状部(３１)よりも拡径された頭部(３４)と、当該遊技釘(３０)を回転操作する回転操作用工具と係合可能な平面形状を有し、且つ、前記棒状部(３１)の中間部分に形成されるとともに前記棒状部(３１)よりも拡径された鍔状部(３５)とを備えたものとされ、前記遊技盤(２０)に前記タッピングネジ部(３２)の螺合を開始した後、前記鍔状部(３５)を前記遊技盤(２０)の表面(２０Ａ)に密着させることを特徴とする。
【００１０】
請求項７記載の発明は、前述した請求項６記載の発明において、次の特徴点を備えているものである。
すなわち、請求項７記載の発明は、前記遊技盤(２０)の表面(２０Ａ)及び前記鍔状部(３５)の間にスプリングワッシャー(４０)を介装し、このスプリングワッシャー(４０)で、前記遊技盤(２０)の表面(２０Ａ)に前記鍔状部(３５)を回転不可能に固定することを特徴とする。
請求項８記載の発明は、前述した請求項６記載の発明において、次の特徴点を備えているものである。
【００１１】
すなわち、請求項８記載の発明は、前記遊技盤(２０)の表面(２０Ａ)及び前記鍔状部(３５)の間に歯付座金(４２)を介装し、この歯付座金(４２)で、前記遊技盤(２０)の表面(２０Ａ)に前記鍔状部(３５)を回転不可能に固定することを特徴とする。
請求項９記載の発明は、前述した請求項６記載の発明において、次の特徴点を備えているものである。
すなわち、請求項９記載の発明は、前記鍔状部(３５)の前記遊技盤(２０)と対向する面(３５Ａ)に逆転防止用突起(４３)が設けられ、この逆転防止用突起(４３)で、前記遊技盤(２０)の表面に前記鍔状部(３５)を回転不可能に固定することを特徴とする。
【００１２】
請求項１０記載の発明は、前述した請求項１記載の遊技釘を利用した弾球遊技機であって、次の特徴点を備えているものである。
すなわち、請求項１０記載の発明は、遊技釘(３０)の一端側部分を遊技盤(２０)に固定し、遊技釘(３０)の他端側部分を前記遊技盤(２０)の表面(２０Ａ)から突出させることにより、前記遊技盤(２０)に遊技球(ＢＬ)の流路が形成された弾球遊技機(ＰＭ)であって、前記遊技釘(３０)には、細長い棒状に形成されて当該遊技釘(３０)の本体となる棒状部(３１)と、この棒状部(３１)の一端側の表面に螺旋状に形成された突条を有するタッピングネジ部(３２)と、当該遊技釘(３０)を回転操作する回転操作用工具と係合可能な係合部(３３)が設けられ、且つ、前記棒状部(３１)の他端に形成されるとともに前記棒状部(３１)よりも拡径された頭部(３４)と、当該遊技釘(３０)を回転操作する回転操作用工具と係合可能な平面形状を有し、且つ、前記棒状部(３１)の中間部分に形成されるとともに前記棒状部(３１)よりも拡径された鍔状部(３５)とが設けられていることを特徴とする。
【発明の効果】
【００１３】
（請求項１の効果）
以上のように構成されている本発明は、以下に記載されるような効果を奏する。
すなわち、請求項１、６、１０に記載の発明によれば、遊技釘を遊技盤に固定するにあたり、棒状部の中間部分に形成された鍔状部を遊技盤の表面に密着させることができる。そして、鍔状部を遊技盤の表面に密着させれば、遊技盤に固定した遊技釘を傾斜させるには、その棒状部の遊技盤に埋没した部分で遊技盤を塑性変形させるだけでなく、その鍔状部でも遊技盤を塑性変形させなければならない。このため、遊技釘の姿勢を崩すために塑性変形させなければならない遊技盤の体積が増えるので、遊技釘に加わる衝撃で遊技盤が塑性変形しにくくなり、これにより、遊技釘の姿勢が崩れにくくなる。
【００１４】
（請求項２の効果）
請求項２記載の発明によれば、上記した請求項１記載の発明の効果に加え、次のような効果を奏する。
すなわち、請求項２記載の発明によれば、遊技釘を回転操作するにあたり、回転操作用工具としてスクリュードライバを利用することができ、遊技釘を遊技盤へ固定する固定作業が容易に行えるようになる。なお、スクリュードライバで遊技釘を螺合させていくと、鍔状部が遊技盤の表面に係止され、それ以上深く遊技釘が遊技盤に埋没しないようになるので、遊技釘の遊技盤表面からの突出寸法を自動的に均一にすることができる。
【００１５】
（請求項３の効果）
請求項３記載の発明によれば、上記した請求項１又は２記載の発明の効果に加え、次のような効果を奏する。
すなわち、請求項３記載の発明によれば、棒状部の鍔状部よりも頭部に近い部分が破損により欠落しても、スパナやレンチ等の回転操作用工具で鍔状部を回転操作することで、遊技釘の残った部分を遊技盤から取り外すことができ、合成樹脂製等のリサイクル可能な遊技盤の材料を分別する際の便宜を図ることができる。
（請求項４の効果）
請求項４記載の発明によれば、上記した請求項３記載の発明の効果に加え、次のような効果を奏する。
【００１６】
すなわち、請求項４記載の発明によれば、遊技球が鍔状部に接触することがないので、遊技釘に鍔状部を設けても、その鍔状部を設けたことによる遊技に対する不具合が何ら生じることがない。
（請求項５の効果）
請求項５記載の発明によれば、上記した請求項１から請求項４までのいずれかに記載の発明の効果に加え、次のような効果を奏する。
すなわち、請求項５記載の発明によれば、形状の変更が殆ど不可能な木製と異なり、合成樹脂製は形状を変更することが容易なので、再利用が可能となり、遊技盤をリサイクルする際の便宜を図ることができる。
【００１７】
（請求項７の効果）
請求項７、８，９記載の発明によれば、上記した請求項６記載の発明の効果に加え、次のような効果を奏する。
すなわち、請求項７、８，９記載の発明によれば、遊技盤に螺合させた遊技釘を締め付ければ、鍔状部が遊技盤の表面に回転止めされた状態となるので、遊技球が遊技釘に衝突しても、締め付けた遊技釘が緩むことがなくり、この点からも、遊技釘の姿勢が崩れにくくなる。特に、釘調整により曲げられ、遊技球の衝突により遊技釘にトルクが加わるようになっても、遊技釘が回転止めされるので、遊技釘が緩んで遊技盤との螺合が解除されることがなく、遊技釘の遊技盤からの脱落を防止することができる。
【発明を実施するための最良の形態】
【００１８】
以下に、本発明を実施するための最良の形態である一実施形態について、図面に基づいて説明する。
図１〜図３は、本実施形態を示すものである。図１は、本実施形態に係る弾球遊技機であるパチンコ機を示す正面図、図２は、本実施形態に係る遊技釘を示す平面図、側面図及び底面図の三面図、図３は、本実施形態の要部を示す拡大断面図である。
（パチンコ機ＰＭの概略構成）
本実施形態に係る弾球遊技機としてのパチンコ機ＰＭは、図１の如く、外郭方形枠サイズに構成されて縦向きの固定保持枠を成す外枠１と、この外枠１の開口前面に、これに合わせた方形枠サイズに構成されるとともに、外枠１に開閉可能に搭載される前枠２とを備えている。このうち、前枠２は、外枠１の正面左側上下に配設されたヒンジ部材３ａ，３ｂを介して外枠１に横開き開閉および着脱可能に取り付けられている。そして、正面右側に設けられた施錠金具４により、前枠２が外枠１の開口を閉鎖した状態が維持され、この状態で遊技に供される。
【００１９】
前枠２の正面側には、当該前枠２の正面形状に応じて形成された方形状のガラス扉５および球皿６がともに横開き開閉及び着脱が可能に組付けられている。
これらのガラス扉５および球皿６は、施錠金具４および図示しないロック機構を利用して前枠２の前面を覆う閉鎖状態で保持されるようになっている。
このうち、球皿６には、払い出された遊技球を貯留して整列させる球皿部６ａと、球皿部６ａに貯留する遊技球を下方に排出させる球抜きボタン６ｂと、遊技球の発射操作を行う操作ハンドル８とが設けられている。
また、図１において、ガラス扉５の背後に位置する前枠２の上部には、所定のゲージ設定で構成された遊技盤２０を収納する図示しない収容枠が形成されている。収容枠に嵌め込まれた遊技盤２０は、図示しない複数の係合レバーにより着脱交換可能にセット保持されている。
【００２０】
このように遊技盤２０がセット保持された状態においては、遊技盤２０の前面と、閉鎖状態にあるガラス扉５のガラス板とが所定間隔をおいて対向するように構成されており、これにより、遊技盤２０の前面と、ガラス扉５のガラス板内面との間に、遊技球が落下移動する遊技領域空間が形成されるようになっている。
このようなパチンコ機ＰＭは、全体が所要の後傾角度（例えば、１度以内の後傾角）で遊技施設の遊技島に縦向きに保持される。
また、パチンコ機ＰＭは、球皿６およびガラス扉５が閉鎖施錠された状態で遊技に供され、球皿部６ａに遊技球を貯留させてから、操作ハンドル８を回動操作すると、遊技が開始されるようになっている。
【００２１】
すなわち、球皿部６ａに貯留する遊技球が図示省略する球送り装置によって１球ずつ発射レール上の発射位置まで送り出され、遊技球が発射位置についた状態で、操作ハンドル８の操作レバーが回動操作されると、遊技球は、図示しない打球発射装置のハンマーに打ち出されて遊技盤２０の外レール２２ａに案内されて、遊技領域ＰＡに導かれ、これにより、パチンコゲームが展開されるようになっている。
このような概要構成を備えたパチンコ機ＰＭについて、以降では各部の構成をもう少し詳しく説明する。
遊技盤２０は、所定板厚の平板状に形成された合成樹脂製の下地材の表面に、化粧面材としてのセルを貼り付けた化粧板２１を備えたものである。この化粧板２１の前面には、ステンレス鋼板等を利用した帯状の外レール２２ａおよび内レール２２ｂ（これらを合わせて案内レール２２と称する）が設けられている。遊技盤２０の案内レール２２に囲まれた内側の領域が遊技領域ＰＡとなっている。この遊技領域ＰＡには、多数本の遊技釘３０（図示略）、複数の風車２３、一般入賞口２４、始動入賞口２５、大入賞口２６、及び、周囲に飾り部を有した特別図柄表示装置２８が設けられている。
【００２２】
ここで、遊技釘３０は、図１には示されていないが、遊技盤２０に一端側の部分が固定され、他端側の部分が遊技盤２０から突出して遊技球の流路を形成するものである。この遊技釘３０については、後で詳述する。
一般入賞口２４は、ここに遊技球が入ると、当該遊技球をセーフ球とする処理のみが実行される、換言すると、所定数の遊技球の払い出しのみが実行されるように設定されている入賞口である。一般入賞口２４の奥には、ここに入った遊技球を検出する図示しない入賞球検出センサ（具体的には、遊技球の通過を磁気的、光学的または電気的手段等により検出するセンサ）が取り付けられている。この一般入賞口２４には、化粧板２１を貫通する図示しないセーフ球通路孔が接続されており、一般入賞口２４に入った遊技球は、セーフ球通路孔を通って遊技盤２０の裏面側に排出されるようになっている。
【００２３】
始動入賞口２５は、ここに遊技球が入ることにより、当該遊技球をセーフ球とする処理が実行されるだけでなく、図柄変動の契機となるように設定されている入賞口である。この始動入賞口２５には、普通電動役物として、左右のチューリップ羽根を開閉させることができる、いわゆる電動チューリップが設けられている。
始動入賞口２５の奥には、一般入賞口２４と同様に、入賞した遊技球を検出する図示しない入賞球検出センサが取り付けられている。また、始動入賞口２５には、一般入賞口２４と同様に、化粧板２１を貫通するセーフ球通路孔（図示略）が接続されており、始動入賞口２５に入賞した遊技球は、セーフ球通路孔を通って遊技盤２０の裏面側に排出されるようになっている。
【００２４】
大入賞口２６は、左右に長い方形状の開口であり、当該大入賞口２６を開閉するための扉としての球受け部材を備えている。大入賞口２６の球受け部材は、通常、閉鎖されており、遊技中において、所定の遊技条件の下で特別遊技状態が成立した、すなわち、特別図柄表示装置２８に特定態様の図柄が表示されたときに、前方にほぼ９０度倒されて大入賞口が開放されるように設定されている。これにより、大入賞口２６は、前方を通過する遊技球をすべて、その内部に取り込むようになっている。
大入賞口２６の奥には、特定領域及び一般領域の二つの領域が左右に設けられている。特定領域及び一般領域の各々には、入賞球検出センサが取り付けられているとともに、一般入賞口２４等と同様に、化粧板２１を貫通する図示しないセーフ球通路孔が接続されている。大入賞口２６から入ったセーフ球は、特定領域及び一般領域のいずれか一方を通って遊技盤２０の裏面側に排出されるようになっている。
【００２５】
各入賞口２４，２５，２６に遊技球が入ると、各入賞口に取り付けられた入賞球検出センサによって入賞したことが検出されるようになっている。そして、各入賞口に入った一つ一つの遊技球毎に、その入賞口の種類や遊技状況に応じた所定数の賞球が図示しない球払出機構から球皿６に払い出されるようになっている。
また、特別図柄表示装置２８は、具体的には、液晶パネル１０を有する液晶表示装置であり、遊技を行う遊技者に面して設けられた液晶パネル１０の画面１００に様々な画像の表示が可能となっている。特別図柄表示装置２８の液晶パネル１０は、遊技盤２０の裏面側に取り付けられた画像処理基板１０１により制御され、その画面１００には、遊技状況に応じて種々の情報が表示されるようになっている。
【００２６】
遊技領域ＰＡの最下部には、入賞口２４，２５，２６に入賞せずに落下した遊技球を集めて排出させるアウト口２７が設けられている。アウト口２７には、化粧板２１を貫通する図示しないアウト球通路孔が接続されている。
このアウト口２７に集められた遊技球は、アウト球としてアウト球通路孔を通って遊技盤２０の裏面に排出されるようになっている。
また、化粧板２１の裏側には、前述のセーフ球通路孔およびアウト球通路孔の裏側を覆う図示しない不正防止用の裏カバーが取り付けられている。この裏カバーと、化粧板２１の裏面との間には、化粧板２１の裏面に沿って下方へ延びる所定の隙間が設けられ、この隙間により、遊技球を排出するための排出空間が形成されている。
【００２７】
裏カバーの下端は、開放されており、セーフ球通路孔およびアウト球通路孔を通って遊技盤２０の裏面に排出された遊技済みの遊技球は、前述の排出空間を通って下方に落下するようになっている。
（遊技釘３０の構成）
次に、本発明に基づく遊技釘３０について説明する。
遊技釘３０は、スクリュードライバ等の回転操作用工具で回転操作されて遊技盤２０に螺合することにより、遊技盤２０への固定が行われるものである。
この遊技釘３０には、図２に示すように、細長い棒状に形成されて当該遊技釘３０の本体となる棒状部３１と、この棒状部３１の一端側の表面に螺旋状に形成された突条を有するタッピングネジ部３２と、当該遊技釘３０を回転操作する回転操作用工具と係合可能な係合部（３３）を有する頭部３４と、当該遊技釘３０を回転操作する回転操作用工具と係合可能な平面形状を有する鍔状部３５とが設けられている。
【００２８】
頭部３４は、タッピングネジ部３２とは反対側となる棒状部３１の他端に形成されるとともに、棒状部３１よりも拡径された鍔状のものである。この頭部３４には、当該遊技釘３０を回転操作する回転操作用工具であるプラスのスクリュードライバが係合可能な十文字溝３３が係合部として設けられている。
鍔状部３５は、棒状部３１の中間部分に形成されるとともに棒状部３１よりも拡径された鍔状のものである。また、鍔状部３５は、当該遊技釘３０を回転操作する回転操作用工具であるスパナやメガネレンチと係合可能なように、その平面形状が六角形とされた六角柱状に形成されたものとなっている。
【００２９】
ここで、鍔状部３５のサイズは、図３に示すように、遊技盤２０に一端側が固定された当該遊技釘３０の棒状部３１と遊技盤２０の表面２０Ａとの両方に接触させた状態の遊技球ＢＬが、その表面に接触しない程度に小さく設定されている。
このような本実施形態では、遊技釘３０を遊技盤２０に固定するにあたり、まず、プラスのスクリュードライバの先端を十文字溝３３に係合させ、この状態でスクリュードライバを回転操作し、遊技盤２０へのタッピングネジ部３２の螺合を開始する。そして、スクリュードライバを操作して遊技釘３０を締め付けていき、鍔状部３５を遊技盤２０の表面２０Ａに密着させる。この後、鍔状部３５が遊技盤２０の表面２０Ａに密着した状態で、遊技釘３０を増し締めし、遊技球ＢＬの衝突による衝撃で遊技釘３０が緩まない程度に、鍔状部３５を遊技盤２０の表面２０Ａにきつく密着させ、遊技釘３０を回転不可能に固定し、以上により、遊技釘３０の固定作業を完了する。
【００３０】
前述のような本実施形態によれば、次のような効果が得られる。
すなわち、遊技釘３０に備えられている棒状部３１の中間部分に、当該棒状部３１よりも拡径された鍔状部３５を設け、遊技釘３０を遊技盤２０に固定するにあたり、鍔状部３５を遊技盤２０の表面２０Ａに密着させるようになるので、遊技盤２０に固定した遊技釘３０の姿勢を崩すには、換言すると、遊技釘３０を傾斜させるには、棒状部３１の遊技盤２０に埋没した部分で遊技盤２０を塑性変形させるだけでなく、その鍔状部３５でも遊技盤２０を塑性変形させなければならない。
このため、遊技釘３０の姿勢を崩すために塑性変形させなければならない遊技盤２０の体積が増えるので、遊技釘３０に加わる衝撃で遊技盤２０が塑性変形しにくくなり、これにより、遊技釘３０の姿勢を崩れにくくすることができる。
【００３１】
また、遊技釘３０を回転操作するプラスのスクリュードライバと係合する十文字溝３３を頭部３４に設け、遊技釘３０の回転操作を、一般的なスクリュードライバで行うようにしたので、特殊な工具を必要とせず、遊技釘３０を遊技盤２０に容易に固定することができる。ここで、スクリュードライバで遊技釘３０を螺合させていくと、所定の深さまで遊技釘３０が埋没すると、鍔状部３５が遊技盤２０の表面２０Ａに係止され、それ以上深く遊技釘３０が遊技盤２０に埋没しないので、遊技釘３０の表面２０Ａからの突出寸法を自動的に均一にすることができる。
さらに、合成樹脂製の平板材を遊技盤２０の主部品とした、換言すると、遊技盤２０の主な材料を合成樹脂としたので、形状の変更が殆ど不可能な木製と異なり、合成樹脂は形状を任意に変更することができ、遊技盤２０の再利用が可能となり、遊技盤２０をリサイクルする際の便宜を図ることができる。
【００３２】
また、その平面形状が六角形とされた六角柱状に形成された鍔状部３５を採用し、棒状部３１の鍔状部３５よりも頭部３４に近い部分が破損により欠落しても、スパナやレンチ等の回転操作用工具で鍔状部３５を回転操作することで、遊技釘３０の残った部分を遊技盤２０から取り外すことができ、主な材料が合成樹脂製となった遊技盤２０をリサイクルする際に、遊技盤２０の材料を分別する際に、その便宜を図ることができる。
さらに、遊技盤２０に固定された遊技釘３０の棒状部３１、及び、遊技盤２０の表面２０Ａの両方に接触させた状態の遊技球ＢＬが接触しない程度に、鍔状部３５を小さく形成し、遊技領域ＰＡに打ち込まれた遊技球ＢＬを遊技釘３０が案内している際に、当該遊技球ＢＬが鍔状部３５に接触しないようにしたので、遊技釘３０に鍔状部３５を設けても、遊技に対する不具合が何ら生じることがない。
【００３３】
なお、本発明は、前記実施形態に限定されるものではなく、本発明の目的を達成できる範囲における変形及び改良などをも含むものである。
例えば、前記実施形態では、鍔状部が遊技盤の表面に密着した状態で、遊技釘を増し締し、鍔状部を遊技盤の表面にきつく密着させ、これにより、遊技釘を回転不可能に固定したが、鍔状部と遊技盤の表面との間に配置される固定手段により、遊技釘を回転不可能に固定してもよい。
ここで、固定手段としては、鍔状部の遊技盤と対向する面と遊技盤の表面との間に塗布された接着剤、図４に示すように、平面形状がＣ字形となったスプリングワッシャー４０、図５に示すように、周方向に沿って複数の係止用歯４１が形成された歯付座金４２、及び、鍔状部３５の遊技盤２０と対向する面、換言すると、図６に示すように、鍔状部３５のタッピングネジ部３２側に臨む底面３５Ａから突出するように設けられた逆転防止用突起４３等が採用できる。
【００３４】
このような固定手段によれば、遊技盤２０に螺合させた遊技釘３０を締め付けることにより、鍔状部３５が遊技盤２０の表面２９Ａに回転止めされるので、遊技球ＢＬが遊技釘３０に衝突しても、締め付けた遊技釘３０が緩むことがなくり、この点からも、遊技釘３０の姿勢が崩れにくくなる。
特に、釘調整により曲げられ、遊技球ＢＬの衝突により遊技釘３０にトルクが加わるようになっても、固定手段により遊技釘３０が回転止めされるので、遊技釘３０が緩んで遊技盤２０との螺合が解除されることがなく、遊技釘３０の遊技盤２０からの脱落を防止することができる。
【００３５】
また、頭部に形成される係合部としては、十文字溝、換言すれば、プラス溝に限らず、マイナスのスクリュードライバと係合するマイナス溝でもよく、また、溝に限らず、六角レンチと係合可能な六角穴でもよく、スパナやメガネレンチ等の回転操作用工具と係合可能となるように、頭部を六角柱状又は楕円柱状に形成し、頭部全体を係合部としてもよい。
さらに、鍔状部としては、六角柱状に形成されたものに限らず、楕円レンチ等の回転操作用工具と係合可能な楕円柱状に形成されたものでもよい。
また、弾球遊技機としては、パチンコ機に限らず、雀球等の他の弾球遊技機でもよく、要するに、遊技球の流路を形成するために遊技盤に複数の遊技釘が立設されている弾球遊技機であれば、その種類は問わない。
【図面の簡単な説明】
【００３６】
【図１】本発明の一実施形態に係る弾球遊技機であるパチンコ機を示す正面図である。
【図２】前記実施形態に係る遊技釘の平面、側面及び底面を示す三面図である。
【図３】前記実施形態の要部を示す拡大断面図である。
【図４】本発明の変形例に係るスプリングワッシャーの平面及び側面を示す二面図である。
【図５】本発明の異なる変形例に係る歯付座金の平面及び側面を示す二面図である。
【図６】本発明のさらに異なる変形例の要部側面及び底面を示す二面図である。
【符号の説明】
【００３７】
２０    遊技盤
２０Ａ  遊技盤の表面
３０    遊技釘
３１    棒状部
３２    タッピングネジ部
３３    係合部としての十字溝
３４    頭部
３５    鍔状部
３５Ａ  鍔状部の遊技盤と対向する面
４０    スプリングワッシャー
４２    歯付座金
４３    逆転防止用突起
ＢＬ    遊技球
ＰＭ    弾球遊技機としてのパチンコ機
【図１】
2006110257.tif 000003
【図２】
2006110257.tif 000004
【図３】
2006110257.tif 000005
【図４】
2006110257.tif 000006
【図５】
2006110257.tif 000007
【図６】
2006110257.tif 000008